(57)【要約】      （修正有）【課題】  本発明は、小型のプラスチック製のコンテナボックスに収納された内容物を、フレコンバックなどに充填する際に、作業をする人にかかる負担が大きく、かつ人件費がかかるなどの問題や作業中の怪我などの問題があった。  上記の様な問題に鑑み、コンテナボックスを容易に反転作動させ、収納された内容物を取り出し、フレコンバックに充填することが出来る、フレコンバックの充填装置を提供するものである。【解決手段】  一辺に傾斜部を有する逆台形状のホッパーにおいて、前記傾斜部の斜面上には、該斜面上を滑動するコンテナボックスの下端を掛止し、コンテナボックスを反転作動させ、該コンテナボックス内に収納された内容物を取り出すための掛止材を設け、更に、前記ホッパーの底辺部には、取り出された内容物を排出するための開口部を設けたものである。【選択図】図６
2007153442.tif 000002
【特許請求の範囲】
【請求項１】
保管用に用いられるプラスチック製のコンテナボックスから内容物を取り出し、該内容物をフレコンバックへ充填するために用いられる、一辺に傾斜部を有する逆台形状のホッパーにおいて、前記傾斜部の斜面上には、該斜面上を滑動するコンテナボックスの下端を掛止し、コンテナボックスを反転作動させ、該コンテナボックス内に収納された内容物を取り出すための掛止材を設け、更に、前記ホッパーの底辺部には、取り出された内容物を排出するための開口部を設けたことを特徴とするフレコンバックの充填装置。
【請求項２】
前記掛止材が、長方形の板状部材から成り、前記傾斜部の斜面に対し、垂直に立上げた状態に設けられたことを特徴とする請求項１記載のフレコンバックの充填装置。
【請求項３】
前記ホッパーの底辺部に設けられた開口部には、反転させたコンテナボックスを、ホッパー内に受け止めるための、平面ロ字状の受材を設けたことを特徴とする請求項１及び２記載のフレコンバックの充填装置。
【請求項４】
前記ホッパーの底辺部に設けられた開口部の外部には、前記取り出した内容物を、フレコンバックへ移送するための、ガイドシューターを設けたことを特徴とする請求項１〜３記載フレコンバックの充填装置
【請求項５】
前記ガイドシューターには、前記取り出した内容物を崩すための、棒状の当て材を設けたことを特徴とする請求項１〜４記載フレコンバックの充填装置
【発明の詳細な説明】
【技術分野】
【０００１】  本発明は、小型のプラスチック製のコンテナボックスに収納された内容物を、フレコンバックなどに充填する最に、コンテナボックスを容易に反転作動させ、収納された内容物を取り出し、フレコンバックに充填することが出来る、フレコンバックの充填装置を提供するものである。
【背景技術】
【０００２】  従来、主に青果物などの輸送や保管は、プラスチック製のコンテナボックスに、内容物を個別に収納して、冷蔵庫などに保管し、出荷の最にコンテナボックスからフレコンバックなどに移し替えて出荷をするものである。
この場合、一つずつコンテナボックスを逆さまにして、内容物を取り出し、フレコンバックに充填するものであった。【０００３】  前記の様な作業は従来、主に人手によって行われていた、しかしながら、人手による作業方法では作業効率が悪く、またコンテナボックスを人が一度持上げて、逆さまにするもので、作業をする人にかかる負担が大きく、長時間の作業が困難であり、そのため交代要員が必要で人件費がかかるなどの問題があった。
前記の様な問題を解決する目的で、次のような発明が提案された。【０００４】
【特許文献１】特開平１０−１３９１３２号公報
【０００５】  前記特許文献１では、コンテナボックスを狭持する狭持アームと、コンテナボックスを狭持した状態で反転させる反転アームと、反転されたコンテナボックスを振動させる回りスライダクランク機構を有したもので、この発明によるとコンテナボックスが所定の位置に運ばれてくると、狭持アームがコンテナボックスの両側を挟む様に狭持し固定する、次に反転アームが狭持固定されたコンテナボックスを９０°ずつ、二回に分けて回転させ、最終的に１８０°回転させ、更にその状態で、コンテナボックスを上下に振動させ、内容物を取り出すものである。
【発明の開示】
【発明が解決しようとする課題】
【０００６】  従来の人手による作業方法では、一つずつコンテナボックスを人が持上げて、逆さまにするもので、内容物によっては２０ｋｇを越える物もあり、作業をする人にかかる負担が大きく長時間の作業が困難であり、そのため交代要員が必要で人件費がかかるなどの問題や作業中の怪我などの問題もあった。【０００７】  前記特許文献は、それらを解決するために提案されたものであったが、次のような問題があった。【０００８】  前記特許文献１では、コンテナボックスを反転させるための、狭持アーム及び狭持アーム用の動力並びに制御機構と反転アーム及び反転アーム用の動力並びに制御機構とが必要で、更に、反転した状態でコンテナボックスを上下に振動させるための、回りスライダクランク機構が必要で、その外、装置全体を制御するための総合制御装置が必要であり、このように、装置が複雑で大掛かりなものであり、設備投資やメンテナンスなどにコスト掛かる。【０００９】  上記の様な問題に鑑み本発明は、動力や複雑な機構を必要とせず、最小限の力と慣性などの自然の法則による作動で、大掛かりな機械などと、同等の効果のある装置を提供するものである。
【課題を解決するための手段】
【００１０】  本発明は、上記した目的を達成するため、保管用に用いられるプラスチック製のコンテナボックスから内容物を取り出し、該内容物をフレコンバックへ充填するために用いられる、一辺に傾斜部を有する逆台形状のホッパーにおいて、前記傾斜部の斜面上には、該斜面上を滑動するコンテナボックスの下端を掛止し、コンテナボックスを反転作動させ、該コンテナボックス内に収納された内容物を取り出すための掛止材を設け、更に、前記ホッパーの底辺部には、取り出された内容物を排出するための開口部を設けたフレコンバックの充填装置とした。【００１１】  上記した本発明にかかるフレコンバックの充填装置によれば、まず、内容物の入った保管用に用いられるプラスチック製のコンテナボックスを、前記傾斜部の縁端部に設けられた台の上に置き、次に、該コンテナボックスが傾斜部の斜面上を滑動状態になるように、コンテナボックスに対して、傾斜部方向へ力を加える。【００１２】  次に、この滑動状態にあるコンテナボックスの下端を掛止する、この時、滑動状態にあるコンテナボックスにかかる慣性と内容物の重さとにより、コンテナボックスが自然に反転作動を起こし、逆さまになるものである。
更に、該コンテナボックスが逆さまで口を下にした状態のまま、前記ホッパーの底辺部に設けられた開口部へ落下するもので、この時の落下の衝撃により、コンテナボックス内の内容物がすべて取り出されるものである。【００１３】  上記した本発明にかかるフレコンバックの充填装置によれば、前記ホッパーの底辺部には、コンテナボックスから取り出された内容物を排出するための開口部が設けられているものである。【００１４】  本発明にかかるフレコンバックの充填装置によれば、上記滑動状態にあるコンテナボックスの下端を掛止する掛止材が、長方形の板状部材から成り、前記傾斜部の斜面に対し、垂直に立上げた状態に設けられたものである。【００１２】  本発明にかかるフレコンバックの充填装置によれば、上記ホッパーの底辺部に設けられた開口部には、反転し、逆さまで口を下にした状態のまま落下するコンテナボックスを、ホッパー内に受け止めるための、平面ロ字状の受材を設けるもので、この受材に落下した時の衝撃で、コンテナボックス内の内容物がすべて取り出されるものである。【００１３】  また、上記した本発明においては、ホッパーの底辺部に設けられた開口部の外部には、前記取り出した内容物を、フレコンバックへ移送するための、ガイドシューターを設けたもので、該ガイドシューターの出口にフレコンバックの上部に設けられた投入口を近設し、内容物をフレコンバックへ充填するものである。【００１４】  さらに、上記した本発明においては、前記ガイドシューターには、前記取り出した内容物を崩すための、棒状の当て材を設けたもので、これは、内容物である個体どうしが、コンテナボックス内での長期間の保存及び自分の水分などによって塊まった場合に、その塊を崩し、個々の個体にもどすためのものである。
【発明の効果】
【００１５】  本発明は上記した構成を成すもので、以下に記載されるような効果を奏する。
複雑な機構をもつ高価な専用機械を購入するなどの多額の設備投資の必要がない。【００１６】  僅かな労力で、作業が出来るため作業者への負担が少ないため、交代要員などの必要がなく、人件費の削減になる。【００１７】  モーターや制御装置などの電気設備を使用していないので、故障の心配がなく、メンテナンスなどのコストが掛からない。
【発明を実施するための最良の形態】
【００１８】  本発明の実施の形態を実施例にもとづき図面を参照して説明する。
実施例１、先ず、一辺に傾斜部（２）を有する逆台形状のホッパー（１）を設け、前記傾斜部（２）の斜面上（４）には、該斜面上（４）を滑動するコンテナボックス（１１）の下端を掛止し、コンテナボックス（１１）を反転作動させ、該コンテナボックス（１１）内に収納された内容物（１２）を取り出すための掛止材（５）を設け、更に、前記ホッパー（１）の底辺部には、取り出された内容物（１２）を排出するための開口部（３）を設ける。【００１９】  前記掛止材（５）は、長方形の板状部材から成り、前記傾斜部（２）の斜面に対し、垂直に立上げた状態に設ける。【００２０】  次に、前記ホッパー（１）の底辺部に設けられた開口部（３）には、反転させたコンテナボックス（１１）を、ホッパー（１）内に受け止めるための、平面ロ字状の受材（６）を設ける。【００２１】  更に、前記ホッパー（１）の底辺部に設けられた開口部（３）の外部には、前記取り出した内容物（１２）を、フレコンバック（１３）へ移送するための、ガイドシューター（７）を設ける。【００２２】  前記ガイドシューター（７）には、前記取り出した内容物（１２）を崩すための、棒状の当て材（８）を設ける。
【実施例】
【００２３】  先ず、本発明の実施例は、直方体の箱体の側面に側面形状が直角三角形状の傾斜部（２）の側壁を付着させた、一辺に傾斜部（２）を有する逆台形状のホッパー（１）を設ける。【００２４】  前記、前記傾斜部（２）の斜面上（４）には、長方形の板状部材から成り、前記傾斜部（２）の斜面に対し、垂直に立上げた掛止材（５）を設ける。【００２５】  上記、逆台形状のホッパー（１）の底辺部に、該ホッパー（１）に投入された内容物（１２）を排出する開口部（３）を設ける。
更に、前記傾斜部（２）の縁端部には、台（１０）を設ける。【００２６】  上記、ホッパー（１）の底辺部に設けられた開口部（３）には、該開口部（３）の内側周縁部を周設する様に、平面ロ字状の受材（６）を設ける。【００２７】  次に、上記記ホッパー（１）の底辺部に設けられた開口部（３）の外部には、ホッパー（１）に投入された内容物（１２）を、フレコンバック（１３）へ移送するための、ガイドシューター（７）を設ける。
このガイドシューター（７）には、投入された内容物（１２）を、排出するためのガイドシューター出口（９）を設ける。【００２８】  更に、前記ガイドシューター（７）には、ぶつかる事によって塊状の内容物（１２）が崩れるための、棒状の当て材（８）を設ける。【００２９】  本発明は、上記した構成をなすもので、これを使用する場合は、先ず、内容物（１２）の入った保管用に用いられるプラスチック製のコンテナボックス（１１）を、前記傾斜部（２）の縁端部に設けられた台（１０）の上に置き、次に、該コンテナボックス（１２）が傾斜部（２）の斜面上（４）を滑動状態になるように、コンテナボックス（１１）に対して、傾斜部（２）方向へ力を加える。
この作業は、作業者によって行われるものである。【００３０】  次に、この滑動状態にあるコンテナボックス（１１）の下端を、傾斜部（２）の斜面上（４）に、斜面に対し、垂直に立上げるように設けた長方形の板状部材から成る、掛止材（５）で掛止する、この時、滑動状態にあるコンテナボックス（１１）にかかる慣性と内容物（１２）の重さとにより、コンテナボックス（１１）が自然に反転作動を起こし、逆さまになるものである。【００３１】  前記コンテナボックス（１１）が逆さまで口を下にした状態のまま、前記ホッパー（１）の底辺部に設けられた開口部（３）へ落下するもので、この時の落下の衝撃により、コンテナボックス（１１）内の内容物（１２）がすべて取り出されるものである。【００３２】  上記の様にして、コンテナボックス（１１）内から取り出された内容物（１２）は、ホッパー（１）の底辺部に設けられた開口部（３）の外部に設けられた、ガイドシューター（７）によって、フレコンバック（１３）へ移送され、該ガイドシューター出口（９）から、フレコンバック（１３）の上部に設けられた投入口へ投入され、フレコンバック（１３）へ充填されるものである。【００３３】  更に、前記ガイドシューター（７）には、前記取り出した内容物（１２）を崩すための、棒状の当て材（８）を設けたもので、これは、内容物（１２）である個体どうしが、コンテナボックス（１１）内での長期間の保存及び自分の水分などによって塊まった場合に、その塊を崩し、個々の個体にもどすためのものである。
【産業上の利用可能性】
【００３４】
【図面の簡単な説明】
【図１】  本発明の実施例を示す正面図
【図２】  本発明の実施例を示す平面図
【図３】  本発明の実施例を示す背面図
【図４】  本発明の実施例を示す右側面図
【図５】  本発明の実施例を示す左側面図
【図６】  本発明の実施例を示すＡ〜Ａ断面図
【図７】  本発明の実施例を示すＢ〜Ｂ断面図
【図８】  本発明の実施例を示す斜視図
【図９】  本発明の実施例を示す参考図
【符号の説明】
１    ホッパー
２    傾斜部
３    開口部
４    斜面上
５    掛止材
６    受材
７    ガイドシューター
８    当て材
９    ガイドシューター出口
１０    台
１１    コンテナボックス
１２    内容物
１３    フレコンバック
【図１】
2007153442.tif 000003
【図２】
2007153442.tif 000004
【図３】
2007153442.tif 000005
【図４】
2007153442.tif 000006
【図５】
2007153442.tif 000007
【図６】
2007153442.tif 000008
【図７】
2007153442.tif 000009
【図８】
2007153442.tif 000010
【図９】
2007153442.tif 000011